(57)【要約】【課題】利用者に多くの情報を取得、比較させ、自治体は競争によりサービス内容を高度化してサービス利用者を増やし、地域の活性化を図る。【解決手段】自治体のホームページから他自治体や国が持っている資産情報、統計情報、生活情報などをネットワーク経由で自動的に収集し、利用者に提供する。検索範囲の半径を決める初期表示画面１１と、検索条件を設定するための検索条件設定画面２１と、地域の施設・土地情報を表示する施設・土地情報条件設定画面３１と、地域のイベント情報を表示するイベント情報条件設定画面４１と、地域の統計情報を表示する統計情報条件設定画面５１と、地域の生活情報を表示する生活情報条件設定画面６１と、条件設定画面上で選択することにより検索結果を表示する結果表示画面８１とを有する。【選択図】        図９
2004310310.tif 000002
【特許請求の範囲】
【請求項１】
自治体および国が保有する資産情報、統計情報、生活情報を収集し、利用者端末からセンタ装置にアクセスすることにより、収集した地域情報を画面で参照させるサービスを提供する地域情報提供システムであって、
検索範囲を決める初期表示画面と、
該初期表示画面上で選択されることにより遷移し、検索条件を設定するための検索条件設定画面と、
該検索条件設定画面上で選択されることにより遷移し、地域の施設・土地情報を表示する施設・土地情報条件設定画面と、
該検索条件設定画面上で選択されることにより遷移し、地域のイベント情報を表示するイベント情報条件設定画面と、
該検索条件設定画面上で選択されることにより遷移し、地域の統計情報を表示する統計情報条件設定画面と、
該検索条件設定画面上で選択されることにより遷移し、地域の生活情報を表示する生活情報条件設定画面と、
該条件設定画面上で選択することにより検索結果を表示する結果表示画面とを有することを特徴とする地域情報提供システム。
【請求項２】
請求項１に記載の地域情報提供システムにおいて、
前記初期表示画面では、マウス入力での始点を基準点、終点までを半径とする（地図上の指点＋距離）を指示するか、（本人住所＋距離）を指示するか、電卓方式により（郵便番号＋距離）を入力するか、あるいは、電卓方式により（電話番号＋距離）を入力することにより、入力された距離を半径とする円を表示して、該円内を地域の検索範囲として設定することを特徴とする地域情報提供システム。
【請求項３】
請求項１に記載の地域情報提供システムにおいて、
前記検索条件設定画面では、２以上の画面で組合せ検索による結果を得ることが可能なことを特徴とする地域情報提供システム。
【請求項４】
請求項１に記載の地域情報提供システムにおいて、
前記結果表示画面では、施設予約業務、申請・届出業務及び図書館蔵書検索・申込業務等の地方公共団体の窓口業務全般を地図上から行えることを特徴とする地域情報提供システム。
【発明の詳細な説明】
【０００１】
【発明の属する技術分野】
本発明は、地域情報提供システムに関し、特に国や他の自治体が持っている資産情報、統計情報、生活情報などをネットワーク経由で収集し、利用者に提供する地域情報提供システムに関する。
【０００２】
【従来の技術】
従来の地図情報システムは、地図と各種情報とを統合し、空間データとして管理および利用するシステムである。一般的には、地図上に各種情報をレイヤ構造で持ち、位置や場所から任意のデータを取り出したり、目的別の各種地図の生成および空間シミュレーション、地域情報分析、最短経路抽出、３次元表示などの加工、分析、表示を行うことができる。
【０００３】
従来、地域情報提供に関するものとしては、例えば、特許第２９５６５８７号に記載の『広告情報の登録方法および供給方法』がある。この方法では、広告情報の登録を行う際に、予め記憶された地図情報に基づいて地図を表示し、その地図上で広告対象物の位置指定を促し、その対象物の座標を入力された広告情報と関連付けて記憶し、既存の広告対象物の座標を中心とする所定範囲内に既に登録されている広告対象物の座標が含まれるか否かを判定し、含まれると判定したときには、１つの広告対象物が存在することを示す第１のアイコンの替りに、複数の広告対象物が存在していることを示す第２のアイコンを表示することを指示するものである。
【０００４】
また、例えば、特許第３２４９８６４号に記載の『ナビゲーション装置』がある。この装置では、施設、施設データ送信局、サービスセンタ等から送信されてくる施設データを受信し、受信した施設データの全部または一部を、地図データや現在位置等と共に表示することができるだけで、施設に関する情報を容易に知ることができる。
【特許文献１】
特許第２９５６５８７号公報
【特許文献２】
特許第３２４９８６４号公報
【０００５】
【発明が解決しようとする課題】
前述した広告情報登録方法では、広告のための情報を正確な座標を決定し、他と識別可能に登録するための私的な登録方法であって、自治体や国の情報を直接利用することはしていない。また、近隣の自治体が持っている情報を利用することもなく、一般の居住者に対してサービス機関やその他の情報を参照させるものでもない。
住民基本台帳ネットワーク、総合行政ネットワーク（ＬＧＷＡＮ）、あるいは霞が関ネットワーク（ＫＷＡＮ）などを利用して、自治体や国のホームページなどの情報を直接取り込むことができ、簡単な方法で住民や企業に利用価値の高い情報を提供できれば、住民や企業にとっては極めて便利である。しかし、自治体自身は勿論、自治体に代わってこれを提供する代行業も見られない。
【０００６】
一方、前記のナビゲーション装置では、自動車等の移動体に載せるカーナビゲーション装置であって、ガソリンスタンド、食事場所、駐車場などの施設に関する情報を迅速に入手するためのものである。
ナビゲーション装置を個人で購入するには、価格が高いこともあり、購入することなく、自宅あるいは企業内で地域に関する必要な情報を入手したり、施設の予約を行えれば極めて便利である。しかし、必要な情報を簡単に入手できる施設や、予約を簡単に行える施設は殆んど見当らない。
【０００７】
そこで、本発明の目的は、これら従来の課題を解決し、自治体のホームページから他の自治体や国が持っている資産情報、統計情報、生活情報などを利用者に簡単な方法で提供でき、他自治体と競争してサービス内容を高度化することで、サービス利用者を増加し、地域活性化を図ることが可能な地域情報提供システムを提供することにある。
【０００８】
【課題を解決するための手段】
本発明の地域情報提供システムは、自治体および国が保有する資産情報、統計情報、生活情報を収集し、利用者端末からセンタ装置にアクセスすることにより、収集した地域情報を画面で参照させるサービスを提供する地域情報提供システムであって、検索範囲の半径を決める初期表示画面と、該初期表示画面上で選択されることにより遷移し、検索条件を設定するための検索条件設定画面と、該検索条件設定画面上で選択されることにより遷移し、地域の施設・土地情報を表示する施設・土地情報条件設定画面と、該検索条件設定画面上で選択されることにより遷移し、地域のイベント情報を表示するイベント情報条件設定画面と、該検索条件設定画面上で選択されることにより遷移し、地域の統計情報を表示する統計情報条件設定画面と、該検索条件設定画面上で選択されることにより遷移し、地域の生活情報を表示する生活情報条件設定画面と、該条件設定画面上で選択することにより検索結果を表示する結果表示画面とを有することを特徴としている。
【０００９】
また、前記初期表示画面では、マウス入力での始点を基準点、終点までを半径とする（地図上の指点＋距離）を指示するか、（本人住所＋距離）を指示するか、電卓方式により（郵便番号＋距離）を入力するか、あるいは、電卓方式により（電話番号＋距離）を入力することにより、入力された距離を半径とする円を表示して、該円内を地域の検索範囲として設定することも特徴としている。
また、前記検索条件設定画面では、２以上の画面で組合せ検索による結果を得ることが可能である（後述の図９により詳述）。
【００１０】
【発明の実施の形態】
以下、本発明の実施の形態を、図面により詳細に説明する。
図１は、本発明の利用者端末の初期表示画面（ポイント検索メニュー）の図である。
本発明においては、自治体のホームページから自治体（都道府県、市区町村）、国が持っている資産情報、統計情報、生活情報をネットワーク（ＬＧＷＡＮ：総合行政ネットワーク、ＫＷＡＮ：霞が関ＷＡＮ）経由で収集する。近隣の自治体が持っている情報も収集することができ、利用者は多くの情報を取得し、比較が可能であって、サービス提供者である自治体は他自治体と競争を行うことでサービス内容を高度化することにより、サービス利用者を増加し、地域の活性化につなげようとするものである。
【００１１】
図１に示す初期表示画面１１には、Ａ市ポイント検索メニューとして、▲１▼（本人住所＋距離）、▲２▼（地図上の指点＋距離）、▲３▼（郵便番号＋距離）、▲４▼（電話番号＋距離）が表示され、これらのいずれかを選択して、検索範囲を選択する。検索範囲は基本地点を中心として距離を半径とする円を描き、その中の対象物を検索する。
▲１▼の場合、地図上で基準点＋距離（マウス入力の始点が基準点、終点までが半径）を計算する。▲２▼の場合、地図上で都道府県、市区町村を選択する（複数も可）。▲３▼の場合、電卓方式により郵便番号を入力する。これにより、地図上の場所を算出する。▲４▼の場合、電卓方式により電話番号を入力する。市外局番により本人住所の抽出が可能となる。
【００１２】
図２は、検索条件設定画面の図である。
検索条件としては、▲１▼施設・土地情報、▲２▼イベント、▲３▼統計情報、▲４▼生活情報があるので、これらの中の一つを選択する。▲１▼を選択すれば、図３に示す施設・土地情報条件設定画面に遷移する。また、▲２▼を選択すれば、図４に示すイベント情報条件設定画面に遷移する。また、▲３▼を選択すれば、図５に示す統計情報条件設定画面に遷移する。また、▲４▼を選択すれば、図６に示す生活情報条件設定画面に遷移する。
【００１３】
図３は、施設・土地情報条件設定画面の図である。
この画面３１には、遊休地、公園、農地、病院、商業地、小学校、図書館、公団、幼稚園、その他の選択キーがある。この画面３１では、下記のいずれかの方法で検索範囲を選択する。
▲１▼マウスの始点を基準点として、終点までを半径として円内を検索範囲とする（地図上の指点を基準点とし、距離を指示することで、地図上の指点（本人の住所）を中心とした距離の半径の円を描く）。
▲２▼地図上で、都道府県、市区町村を選択する（複数選択を可能とする）ことで、その区域を検索範囲とする。
▲３▼郵便番号を電卓方式（テンキー）で入力することにより、郵便番号で指定される地域を検索範囲とする。
▲４▼電話番号を電卓方式（テンキー）で入力することにより、郵便番号で指定される地域を検索範囲とする。
このような方法で検索範囲を決定することにより、自治体にとって、都市開発計画を進めることができる。また、住民にとっては、引越し先の予備調査を行うことができる。さらに、病院や図書館や公園の場所を知りたいときに便利である。企業にとっては、地域戦略の立案に役立つ。例えば、遊休地のチェック等を行うことで、企業の計画に適しているか否かを検討することができる。
【００１４】
図４は、イベント情報条件設定画面の図である。
この画面４１には、イベントの種類、例えばコンサート、花火大会、雪祭り、その他の選択キーがある。この画面から、▲１▼施設・土地情報条件設定画面、▲２▼イベント情報条件設定画面、▲３▼統計情報条件設定画面、および▲４▼生活情報条件設定画面に遷移することができる。
このような方法で、条件を設定して検索することができるので、自治体にとっては、他の自治体のイベントの調査、団体のイベントの調査などが可能である。
また、住民にとっては、知りたい情報を得られる。例えば、余暇に出掛ける場所の調査、特定のイベントのもっと詳しい情報の取得、イベントの参加、出展のための申込み調査が可能である。また、企業にとっては、そのイベントへの出展のための調査、などに役立つ。
【００１５】
図５は、統計情報条件設定画面の図である。
この画面５１には、アンケート結果、決算情報、人口情報、国勢調査などの選択キーがある。アンケート結果を選択すると、種々のアンケートの回答結果の情報を得ることができ、また、決算情報を選択すると、近隣の自治体や国の決算情報あるいは地域の主な企業の決算情報を参照することができる。また、人口情報を選択すると、近隣の自治体や国の人口情報を得ることができる。さらに、国勢調査を選択すると、自治体ごと、あるいは国の国勢調査の統計値を参照することができる。さらに、その他の選択枝もあるので、その都度、自治体や国で行っている催し物やイベントの統計情報を参照することができる。
これにより、自治体にとっては、住民ニーズの把握と発掘、今後の施策などを決めるための情報として役立つ。住民にとっては、政策への参加、地域の情報などを取得することができる。企業にとっては、消費者ニーズの発掘、動向を知ることができ、営業活動に役立つ。
【００１６】
図６は、生活情報条件設定画面の図である。
この画面６１には、求人情報、病院情報、介護サービス情報、その他の選択キーがある。求人情報を選択すると、近隣の企業や自治体の求人情報（例えば、ＸＸ企業では何の種目で何人の求人あり等）を参照することができる。また、病院情報を選択すると、近隣の病院、診療所、医院について、設置されている診療科、常時配備されている医師の数、専門医の名前、急救指定病院、等の情報を得ることができる。また、介護サービス情報には、地域の介護指定団体と本部住所や介護士数等の団体内部情報、等の情報を得ることができる。その他の生活情報に関するキーワードも自治体、国ごとに選択することができる。
これにより、自治体にとっては、企業誘致を行うときに役立つ。住民にとっては、サービスの選択を行うことができる。例えば、介護サービスや病院による医療サービス、求人情報の取得等に役立つ。企業にとっては、自企業のＰＲに役立つ。
【００１７】
図７は、本発明の一実施形態を示す地域情報提供システムの全体構成図である。
各自治体内に装置６３を設置するか、あるいは代行業者が共同利用センタ６３を設置する。代行業者が設置する場合には、住民や企業に対するサービス代行者としてのビジネスモデルを構築することができる。自治体内装置または共同利用センタ６３は、国交省、農水省、総務省などの国の機関との間でＫＷＡＮなどの専用線６４を介して接続され、都道府県や市区町村などの地域自治体との間にはＬＧＷＡＮなどの専用線６４を介して接続される。国の機関や各自治体は、公開する情報を整理して、既存ＤＢ（データベース）６５４，６６４，６７４から提供情報ＤＢ６５２，６６２，６７２にデータを収集し、格納する。また、既存ＤＢの情報に変化が発生したときには、公開する情報であれば、それを契機にソフトウェア６５３，６６３，６７３を起動して自動的に提供情報ＤＢ６５３，６６２，６７２に情報を移管する。提供情報ＤＢは、後述（図１０）のように、施設・土地情報ＤＢ、イベントＤＢ、統計情報ＤＢおよび生活情報ＤＢに分けられている。
【００１８】
ＸＸ省６５の６５１、ＸＸ県６６の６６１、ＸＸ市６７の６７１は、いずれもデータ提供機能であって、共同利用センタ６３側から要求があったとき、要求された情報を提供情報ＤＢ６５２，６６２，６７２内を検索して、存在したならば専用線６４を介して共同利用センタ６３に送信するか、または提供情報ＤＢ６５２，６６２，６７２に格納されている全情報を自動的に共同利用センタ６３に送信する。
共同利用センタ６３側では、送られてきた情報をデータ収集機能６３２で収集し、情報提供ＤＢ６３４に格納する。また、登録された提供情報ＤＢ６３４から収集するだけでなく、ＸＸ省６５やＸＸ県６６の情報を直接検索することも可能とする。
【００１９】
住民や企業の端末６８は、情報収集または情報提供のためにインターネット６２を介してＸＸ自治体の装置６３または共同利用センタ６３にアクセスすると、ＷＥＢサーバ６３１が要求を受け付けて、情報収集要求であれば、要求された情報を提供ＤＢ６３４と検索条件が国や他自治体の情報を含むときは提供情報ＤＢ６５２、６６２、６７２から検索し、データ収集機能６３２、データ提供機能６３３からＷＥＢ６３１、インターネット６２を経由して端末６８に送信する。住民は、これを受けて自分の希望に従って処理を行う。また、企業は、それを受けて自企業のユーザ等にその情報を提供する。
一方、住民や企業が保有する情報をＸＸ自治体内の装置６３に情報の取込みをしたい場合は、ＷＥＢサービス部６３１がこれを受け取り、取り込みされる情報をデータ収集機能６３２を介して提供情報ＤＢ６３４に格納する。
なお、ＸＸ自治体または共同利用センタ６３は、情報収集をしたい住民や企業に対しては、予めパスワードを配布しておく。
また、ＸＸ自治体内の装置または共同利用センタ６３のＷＥＢサービス部６３１は、インターネット６２を介して住民や企業６８との間で通信を行い、データ収集機能６３２やデータ提供機能６３３との間の媒介を行う。さらに、検索結果画面からの遷移要求を受けて、施設の予約部６３５に接続し、予約画面を送出する。
【００２０】
図８は、検索結果表示の画面の図である。
この画面８１では、一例として施設・土地情報と人口統計との組合わせ検索による結果が表示されている。その結果、総人口と世帯数と年令別人口が表示され、図書館が示される。そこで、住民が図書館を選択することにより、図書館のホームページが表示される。なお、組合わせ検索については、図９により画面で説明する。
【００２１】
図９は、本発明によるＡ市のホームページの遷移図である。
住民や企業が地域情報提供システムを利用するため、Ａ市のホームページにアクセスすると、初期表示画面１１が表示される。ここで、マウス入力での始点が基準点、終点までが半径となる（地図上の指点＋距離）を指示するか、（本人住所＋距離）１２を指示するか、電卓方式により（郵便番号＋距離）２２を入力するか、あるいは、電卓方式により（電話番号＋距離）２３を入力することにより、検索条件設定画面２１が選択される。
【００２２】
初期表示画面１１では、Ａ市ポイント検索メニューとして、▲１▼（本人住所＋距離）、▲２▼（地図上の指点＋距離）、▲３▼（郵便番号＋距離）、▲４▼（電話番号＋距離）が表示され、これらのいずれかを選択して、検索範囲を選択する。検索範囲は基本地点を中心として距離を半径とする円を描き、その中の対象物を検索する。▲１▼の場合、地図上で基準点＋距離を計算して、計算された半径で決定された範囲内の地図を画面に表示する。
【００２３】
▲２▼の場合、地図上で都道府県、市区町村を選択し、▲３▼の場合、電卓方式により郵便番号を入力し、▲４▼の場合、電卓方式により電話番号を入力するが、これらの場合にも、地図については地図管理ファイルが利用される。地図管理ファイルとして
【００２４】
図９に示すように、検索条件設定画面２１では、▲１▼施設・土地情報、▲２▼イベント、▲３▼統計情報、▲４▼生活情報のうちの一つを選択する。選択された画面が表示されたならば、それぞれの画面で希望する情報を選択する。なお、画面３１〜６１の組み合わせ検索も可能であって、決定するまでは、それぞれの画面で自由に検索を行い、決定ボタンを選択することで、組み合わせた検索による結果が結果表示画面８１に表示される。ここでは、施設・土地情報と人口統計との組み合わせ検索による結果を表示している。このように、図書館、公園を選択することで、近隣他市町村でも該当する同じ検索項目のより詳細な情報を一覧形式で表示することができ、ユーザは比較してサービスを利用することができる。また、結果表示画面８１から施設の予約を希望する場合には、図書館やスポーツの施設の予約希望を選択することにより、予約画面に遷移する。
【００２５】
図１１は、本発明の実施形態を示す施設予約画面の図である。
結果表示画面８１から地図上に表示された施設を選択することにより、施設予約を行う画面９１に遷移する。利用者名と利用日時と利用目的等の施設を予約するようになっている。本画面９１により、施設の予約を行えることとする。また、施設予約を行う他のシステムにリンクすることが可能である（例えば、ＷＥＢサービス部６３１の動作により、インターネット６２を介して企業６８が保有する施設や、専用線６４を介してＸＸ省、ＸＸ県、ＸＸ市が保有する施設等に接続し、利用を予約することも可能である）。本システムで用意する施設予約機能等は別に施設予約を行う他の申請や施設予約等の既存システムへリンクすることが可能とする。このように、他の既存の施設予約システムとの連携により、既存の施設予約システムの施設予約画面に遷移して、予約できることも可能にする。また、その他の申請業務等の既存システムとの連携も可能にする。
【００２６】
本発明では、図２の画面２１のように、距離の指示の指定方法に特徴がある。
すなわち、位置測定手段により測定された現在位置と、データ記憶部に記憶されている施設データに含まれている場所データとを位置比較部により比較し、データ記憶部に記憶されている施設データのうち、現在位置からの距離が予め決められた半径の範囲内に位置する施設データを表示するように制御する。このため、地図データ記憶部に記憶されている地図データのうち、位置測定部により測定された現在位置をほぼ中心とする地図データを読み出して、表示する。
【００２７】
図１０（ａ）（ｂ）（ｃ）（ｄ）は、施設・土地情報ＤＢ、イベントＤＢ、統計情報ＤＢ、生活情報ＤＢに格納されている情報の詳細の一例を示す図である。
図１０（ａ）に示すように、施設・土地情報ＤＢには、１つの情報毎に、地方公共団体コード、位置ポイント、施設・土地登録番号、施設・土地登録コード、施設・土地名称、内容、施設開設開始日、施設開設終了日等、・・・が格納されている。
【００２８】
図１０（ｂ）に示すように、イベントＤＢには、１つの情報毎に、地方公共団体コード、位置ポイント、イベント登録番号、イベント情報コード、イベント名称、内容、イベント開始日、イベント終了日、情報公開開始日、情報公開終了日等、・・・が格納される。
【００２９】
図１０（ｃ）に示すように、統計情報ＤＢには、地方公共団体コード、位置ポイント、統計情報登録番号、人口情報、国勢調査情報、性別、年令、配偶関係、職業、アンケート結果情報、アンケート種別、アンケート結果、決算情報等、・・・が格納されている。
【００３０】
図１０（ｄ）に示すように、生活情報ＤＢには、地方公共団体コード、位置ポイント、生活情報登録番号、生活情報コード、生活情報名称、内容、生活情報開始日、生活情報終了日、情報公開開始日、情報公開終了日等、・・・が格納されている。
【００３１】
【発明の効果】
以上説明したように、本発明によれば、自治体のホームページから他自治体や国が持っている資産情報、統計情報、生活情報などをネットワーク経由で自動的に収集し、利用者に提供するので、利用者は多くの情報を取得、比較が可能であり、サービス提供者である自治体は、他自治体と競争してサービス内容を高度化することにより、サービス利用者を増やし、地域の活性化を図ることが可能となる。また、画面を操作する場合、マウス入力により簡単に操作することができ、かつ画面内容が見易いという利点がある。
【図面の簡単な説明】
【図１】本発明の実施形態を示す地域情報提供システムの初期表示画面の図である。
【図２】図１から遷移される検索条件設定画面の図である。
【図３】図２から遷移される施設・土地情報条件設定画面の図である。
【図４】図２から遷移されるイベント情報条件設定画面の図である。
【図５】図２から遷移される統計情報条件設定画面の図である。
【図６】図２から遷移される生活情報条件設定画面の図である。
【図７】地域情報提供システムのブロック構成図である。
【図８】結果表示画面の図である。
【図９】本発明の地域情報提供システムの画面遷移図である。
【図１０】図７における提供情報ＤＢの個別ＤＢに格納される情報の説明図である。
【図１１】施設予約画面の図である。
【符号の説明】
１１…初期表示画面、２１…検索条件設定画面、
３１…施設・土地情報条件設定画面、４１…イベント情報条件設定画面、
５１…統計情報条件設定画面、６１…生活情報条件設定画面、
６２…インターネット、６３…ＸＸ自治体または共同利用センタ、
６４…専用線、６５…ＸＸ省の装置、６６…ＸＸ県の装置、
６７…ＸＸ市の装置、６８…住民・企業の端末、６３１…Ｗｅｂサービス部、
６３２…データ収集機能、６３３…データ提供機能、
６３４…提供情報ＤＢ、６５１…データ提供機能、６６１…データ提供機能、
６７１…データ提供機能、６５２…提供情報ＤＢ、６６２…提供情報ＤＢ、
６７２…提供情報ＤＢ、６５３…ソフトウェア、６６３…ソフトウェア、
６７３…ソフトウェア、６５４…既存ＤＢ、６６４…既存ＤＢ、
６７４…既存ＤＢ、８１…結果表示画面、９１…施設予約画面。
【図１】
2004310310.tif 000003
【図２】
2004310310.tif 000004
【図３】
2004310310.tif 000005
【図４】
2004310310.tif 000006
【図５】
2004310310.tif 000007
【図６】
2004310310.tif 000008
【図７】
2004310310.tif 000009
【図８】
2004310310.tif 000010
【図９】
2004310310.tif 000011
【図１０】
2004310310.tif 000012
【図１１】
2004310310.tif 000013